(57)【要約】【課題】プラズマディスプレイ装置において、電力回収における回収時間の微調整を容易に行うことができるようにすることを目的とする。【解決手段】一対の基板を基板間に放電空間が形成されるように対向配置するとともに前記放電空間で放電が発生するように基板に電極群を配置したプラズマディスプレイパネル１１と、このプラズマディスプレイパネル１１の電極に接続されかつ複数の回収用コイルからなるＬＣ共振回路による電力回収装置とを備え、前記電力回収装置の複数の回収用コイルを設置する方向を変更することにより電力回収装置の回収時間を調整するように構成した。【選択図】図１
2005084361.tif 000002
【特許請求の範囲】
【請求項１】
一対の基板を基板間に放電空間が形成されるように対向配置するとともに前記放電空間で放電が発生するように基板に電極群を配置したプラズマディスプレイパネルと、このプラズマディスプレイパネルの電極に接続されかつ複数の回収用コイルからなるＬＣ共振回路による電力回収装置とを備え、前記電力回収装置の複数の回収用コイルを設置する方向を変更することにより電力回収装置の回収時間を調整するように構成したことを特徴とするプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
図３にプラズマディスプレイ装置に用いるプラズマディスプレイパネルの構造の断面を示している。図に示すように、ガラス基板などの透明な前面側の基板１上には、走査電極と維持電極とで対をなすストライプ状の表示電極２が複数対形成されている。また、前記前面側の基板１には、前記複数対の電極群を覆うように誘電体層３が形成され、その誘電体層３上には保護膜４が形成されている。
【０００５】
また、前記前面側の基板１に対向配置される背面側の基板５上には、走査電極及び維持電極の表示電極２と直交する方向に、絶縁体層６で覆われた複数のストライプ状のデータ電極７が形成されている。このデータ電極７間の絶縁体層６上には、データ電極７と平行にストライプ状の複数の隔壁８が配置され、この隔壁８間の側面および絶縁体層６の表面に蛍光体層９が設けられている。
【０００６】
これらの基板１と基板５とは、走査電極と維持電極による表示電極２とデータ電極７とが直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とデータ電極７との交点が位置する複数の放電セルが設けられ、その各放電セルには、赤色、緑色及び青色となるように蛍光体層が一色ずつ順次配置されている。
【０００７】
このパネルの電極配列は、図４に示すように、Ｍ行×Ｎ列の放電セルからなるマトリックス構成であり、行方向にはＭ行の走査電極ＳＣＮ１〜ＳＣＮＭおよび維持電極ＳＵＳ１〜ＳＵＳＭが配列され、列方向にはＮ列のデータ電極Ｄ１〜ＤＮが配列されている。
【０００８】
そして、図５に示すように、書き込み期間では、全ての維持電極ＳＵＳ１〜ＳＵＳＭを０（Ｖ）に保持した後に、第１行目の表示する放電セルに対応する所定のデータ電極Ｄ１〜ＤＮに正の書き込みパルス電圧＋Ｖｗ（Ｖ）を、第１行目の走査電極ＳＣＮ１に負の走査パルス電圧−Ｖｓ（Ｖ）をそれぞれに印加すると、所定のデータ電極Ｄ１〜ＤＮと第１行目の走査電極ＳＣＮ１との交点部において、書き込み放電が起こる。
【０００９】
次に、第２行目の表示する放電セルに対応する所定のデータ電極Ｄ１〜ＤＮに正の書き込みパルス電圧＋Ｖｗ（Ｖ）を、第２行目の走査電極ＳＣＮ２に負の走査パルス電圧−Ｖｓ（Ｖ）をそれぞれに印加すると、所定のデータ電極Ｄ１〜ＤＮと第２行目の走査電極ＳＣＮ２との交点部において書き込み放電が起こる。
【００１０】
上記同様の動作が順次に行われて、最後に第Ｍ行目の表示する放電セルに対応する所定のデータ電極Ｄ１〜ＤＮに正の書き込みパルス電圧＋Ｖｗ（Ｖ）を、第Ｍ行目の走査電極ＳＣＮＭに負の走査パルス電圧−Ｖｓ（Ｖ）をそれぞれに印加すると、所定のデータ電極Ｄ１〜ＤＮと第Ｍ行目の走査電極ＳＣＮＭとの交点部において書き込み放電が起こる。
【００１１】
次の維持期間では、全ての走査電極ＳＣＮ１〜ＳＣＮＭを一旦０（Ｖ）に保持すると共に、全ての維持電極ＳＵＳ１〜ＳＵＳＭに負の維持パルス電圧−Ｖｍ（Ｖ）を印加すると、書き込み放電を起こした前記交点部における走査電極ＳＣＮ１〜ＳＣＮＭと維持電極ＳＵＳ１〜ＳＵＳＭとの間に維持放電が起こる。次に全ての走査電極ＳＣＮ１〜ＳＣＮＭと全ての維持電極ＳＵＳ１〜ＳＵＳＭとに負の維持パルス電圧−Ｖｍ（Ｖ）を交互に印加することにより、表示する放電セルにおいて維持放電が継続して起こる。この維持放電の発光によりパネル表示が行われる。
【００１２】
次の消去期間において、全ての走査電極ＳＣＮ１〜ＳＣＮＭを一旦０（Ｖ）に保持すると共に、全ての維持電極ＳＵＳ１〜ＳＵＳＭに消去パルス電圧−Ｖｅ（Ｖ）を印加すると、消去放電を起こして放電が停止する。
【００１３】
以上の動作により、ＡＣ型プラズマディスプレイ装置において、一画面が表示される。
【００１４】
このようなプラズマディスプレイ装置においては、特許文献１に示すように、すべての維持放電に際して、電力の回収を行い、電力の有効活用を行っているが、電力回収装置における回収時間の調整がコイルの個数による調整のみで行われるため、最適な回収時間が得られにくいという課題があった。
【特許文献１】特開２００１−３３１１４７号公報
【発明の開示】
【発明が解決しようとする課題】
【００１５】
本発明はこのような課題を解決し、電力回収における回収時間の微調整を容易に行うことができるようにすることを目的とするものである。
【課題を解決するための手段】
【００１６】
上記目的を達成するために本発明のプラズマディスプレイ装置は、一対の基板を基板間に放電空間が形成されるように対向配置するとともに前記放電空間で放電が発生するように基板に電極群を配置したプラズマディスプレイパネルと、このプラズマディスプレイパネルの電極に接続されかつ複数の回収用コイルからなるＬＣ共振回路による電力回収装置とを備え、前記電力回収装置の複数の回収用コイルを設置する方向を変更することにより電力回収装置の回収時間を調整するように構成したものである。
【発明の効果】
【００１７】
本発明にかかるプラズマディスプレイ装置によれば、ＬＣ共振による電力回収の回収コイルを設置する際の向きによって、ＬＣ共振による電力回収装置の回収時間を調整することができ、回収時間の微調整を行うことができる。
【発明を実施するための最良の形態】
【００１８】
以下、本発明の一実施の形態によるプラズマディスプレイ装置について、図１、図２を用いて説明する。
【００１９】
図１に本発明の一実施の形態によるプラズマディスプレイ装置の全体構成を示しており、図において、１１はプラズマディスプレイパネルであり、このプラズマディスプレイパネル１１は、２枚のガラス板を重ね合わせて放電空間を形成するとともに、複数の走査電極群、維持電極群および書き込み電極群を形成することにより複数の放電セルを設けた構造である。このプラズマディスプレイパネル１１の書き込み電極には書き込み回路１２が接続され、走査電極には走査回路１３が接続されており、書き込み回路１２および走査回路１３からの選択パルスで放電を行う放電セルに書き込み動作を行う。また、プラズマディスプレイパネル１１の走査電極群には走査回路１３を介して維持回路１４が接続され、維持電極群には維持回路１５が接続されており、維持回路１４および維持回路１５から交互に出力される維持パルスで、書き込みが行われた放電セルで維持放電動作を行うことにより表示駆動される。
【００２０】
前記維持回路１４は、Ｖｓｕｓの電源電圧が供給される回路に直列に挿入した第１および第２のスイッチ素子としてのＭＯＳＦＥＴ、ＩＧＢＴなどの半導体素子からなるスイッチ素子１４１、１４２と、このスイッチ素子１４１とスイッチ素子１４２の接続点に一端を接続しかつ前記プラズマディスプレイパネル１１の走査電極容量とで電力回収装置のＬＣ共振回路を構成するインダクタ１４３と、このインダクタ１４３と回収回路用のコンデンサ１４４との間に挿入接続した第３のスイッチ素子としてのＭＯＳＦＥＴ、ＩＧＢＴなどの半導体素子からなるスイッチ素子１４５とを備えている。
【００２１】
また、前記維持回路１５は、前記維持回路１４と同様に、Ｖｓｕｓの電源電圧が供給される回路に直列に挿入した第１および第２のスイッチ素子としてのＭＯＳＦＥＴ、ＩＧＢＴなどの半導体素子からなるスイッチ素子１５１、１５２と、このスイッチ素子１５１とスイッチ素子１５２の接続点に一端を接続しかつ前記プラズマディスプレイパネル１１の維持電極容量とで電力回収装置のＬＣ共振回路を構成するインダクタ１５３と、このインダクタ１５３と回収回路用のコンデンサ１５４との間に挿入接続した第３のスイッチ素子としてのＭＯＳＦＥＴ、ＩＧＢＴなどの半導体素子からなるスイッチ素子１５５とを備えている。
【００２２】
ここで、前記インダクタ１４３、１５３は、それぞれ複数、例えば５個の回収用のコイルを他の回路部品とともに、プリント配線板に実装することにより構成され、しかもコイルを設置する方向を調整することにより、インダクタンスを変更可能な構成としている。すなわち、この複数のコイルの設置方向を調整してインダクタ１４３、１５３のインダクタンスを調整することにより、ＬＣ共振回路の定数を変更し、電力回収装置の回収時間を調整するように構成している。
【００２３】
図２にその電力回収装置における回収時間の微調整の一例を示している。図２に示すように、例えば回収用のコイルを５個使用している場合、５個のコイルのうち、２個または１個のコイルの方向を他のコイルに対して逆向きに設置することにより、コイルを４個使用した場合と５個使用した場合の中間の値を得ることができ、維持放電の電力を回収するのに最適な回収時間を微調整することができる。
【産業上の利用可能性】
【００２４】
本発明によれば、簡単な構成で電力回収装置の回収時間を微調整することができ、プラズマディスプレイ装置に最適な動作を行わせる上で有益となる。
【図面の簡単な説明】
【００２５】
【図１】本発明の一実施の形態によるプラズマディスプレイ装置の構成を示す回路図
【図２】同装置における回収時間の調整の一例を示す特性図
【図３】プラズマディスプレイパネルの構造を示す断面図
【図４】パネルの電極配列を示す説明図
【図５】プラズマディスプレイ装置の駆動方法の一例を示す信号波形図
【符号の説明】
【００２６】
１１  プラズマディスプレイパネル
１４３、１５３  インダクタ
【図１】
2005084361.tif 000003
【図２】
2005084361.tif 000004
【図３】
2005084361.tif 000005
【図４】
2005084361.tif 000006
【図５】
2005084361.tif 000007